(57)【要約】【課題】  既存のデジタルデータの伝送路を使用して、その伝送路でのデジタルデータの方向とは逆方向に、何らかのデータを伝送できるようにする。【解決手段】  第１の機器１から第２の機器２に、所定の伝送路を介して、所定の方式で第１のデータを伝送するようにした場合に、第２の機器２に得られた第２のデータで、所定の方式で伝送される信号成分の少ない周波数帯域の信号よりなる第１のキャリア信号を変調し、その変調された第１のキャリア信号に基づいて、前記所定の方式で許容される入力インピーダンスの変化範囲内で伝送路上の振幅を変化させ、第１の機器１で、振幅の変化を検出して、第２のデータを受信するようにした。【選択図】      図１ 
2005252992.tif 000002
【特許請求の範囲】
【請求項１】
第１の機器から第２の機器に、所定の伝送路を介して、所定の方式で第１のデータを伝送するようにしたデータ伝送方法であって、
前記第２の機器に得られた第２のデータで、前記所定の方式で伝送される信号成分の少ない周波数帯域の信号よりなる第１のキャリア信号を変調し、その変調された第１のキャリア信号に基づいて、前記所定の方式で許容される入力インピーダンスの変化範囲内で前記伝送路上の振幅を変化させ、
前記第１の機器で、前記振幅の変化を検出して、前記第２のデータを受信する
データ伝送方法。
【請求項２】
請求項１記載のデータ伝送方法において、
前記振幅の変化は、データ伝送方式の入力インピーダンスの許容範囲内で変化させ、振幅を変化させる処理である
データ伝送方法。
【請求項３】
請求項１記載のデータ伝送方法において、
前記第１のデータの伝送については、所定の周波数より低い低周波数成分及び直流成分が極力少なくなるデータ変調を行なって伝送を行い、
前記第１のキャリア信号の周波数を、前記所定の周波数より低い周波数とした
データ伝送方法。
【請求項４】
請求項１記載のデータ伝送方法において、
さらに、前記第１の機器に得られた第３のデータで、前記所定の方式で伝送される信号成分の少ない周波数帯域の信号よりなる第２のキャリア信号を変調し、その変調されたキャリア信号に基づいて前記第１の機器から送信する信号の振幅を変化させて、
前記第２の機器で、その振幅の変化を検出して、前記第３のデータを受信する
データ伝送方法。
【請求項５】
請求項４記載のデータ伝送方法において、
前記第１のキャリア信号と前記第２のキャリア信号の周波数を変えて、前記第２のデータと前記第３のデータを同時に伝送するようにした
データ伝送方法。
【請求項６】
第１の機器から第２の機器に、所定の伝送路を介して、所定の方式で第１のデータを伝送するようにしたデータ伝送システムであって、
前記第２の機器として、
前記第１の機器に送信する第２のデータで、前記所定の方式で伝送される信号成分の少ない周波数帯域の信号よりなる第１のキャリア信号を変調する第１の変調手段と、
前記第１の変調手段で変調された第１のキャリア信号に基づいて、前記所定の方式で許容される入力インピーダンスの変化範囲内で前記伝送路上の振幅を変化させる第１の振幅制御手段とを備え、
前記第１の機器として、
前記伝送路上の振幅の変化を検出して、前記第２のデータを得る振幅検出手段を備えた
データ伝送システム。
【請求項７】
請求項６記載のデータ伝送システムにおいて、
前記第２の機器の振幅制御手段での振幅の変化は、データ伝送方式の入力インピーダンスの許容範囲内で変化させ、振幅を変化させる処理である
データ伝送システム。
【請求項８】
請求項６記載のデータ伝送システムにおいて、
前記第１の機器での前記第１のデータの送信処理手段として、所定の周波数より低い低周波数成分及び直流成分が極力少なくなるデータ変調を行い、
前記第２の機器の変調手段で変調する第１のキャリア信号の周波数を、前記所定の周波数より低い周波数とした
データ伝送システム。
【請求項９】
請求項６記載のデータ伝送システムにおいて、
さらに前記第１の機器は、
第３のデータで、前記所定の方式で伝送される信号成分の少ない周波数帯域の信号よりなる第２のキャリア信号を変調する第２の変調手段と、
前記第２の変調手段で変調されたキャリア信号に基づいて前記第１のデータの伝送信号の振幅を変化させる第２の振幅制御手段とを備え、
前記第２の機器は、
前記第２の振幅制御手段で設定された振幅の変化を検出して、前記第３のデータを得る振幅検出手段を備えた
データ伝送システム。
【請求項１０】
請求項９記載のデータ伝送システムにおいて、
前記第１の変調手段が扱う第１のキャリア信号と、前記第２の変調手段が扱う第２のキャリア信号の周波数を別の周波数として、前記第２のデータと前記第３のデータを同時に伝送する
データ伝送システム。
【請求項１１】
送信装置から所定の伝送路を介して、所定の方式で伝送された第１のデータを受信する受信装置において、
第２のデータで、前記所定の方式で伝送される信号成分の少ない周波数帯域の信号よりなる第１のキャリア信号を変調する変調手段と、
前記変調手段で変調された第１のキャリア信号に基づいて、前記所定の方式で許容される入力インピーダンスの変化範囲内で前記伝送路上の振幅を変化させる振幅制御手段とを備えた
受信装置。
【請求項１２】
請求項１１記載の受信装置において、
さらに、前記伝送路の振幅の変化を検出して、第３のデータを得る振幅検出手段を備えた
受信装置。
【請求項１３】
所定の伝送路を介して、所定の方式で第１のデータを送信する送信装置において、
前記伝送路上の振幅の変化を検出して、所定の周波数の第１のキャリア信号に変調された第２のデータを得る振幅検出手段を備えた
送信装置。
【請求項１４】
請求項１３記載の送信装置において、
さらに、第３のデータで、前記所定の方式で伝送される信号成分の少ない周波数帯域の信号よりなる第２のキャリア信号を変調する変調手段と、
前記変調手段で変調された第２のキャリア信号に基づいて、前記第１のデータの送信信号の振幅を変化させる振幅制御手段とを備えた
送信装置。
【発明の詳細な説明】
【技術分野】
【０００１】
本発明は、例えば送信装置と受信装置を所定のフォーマットのデジタル信号伝送路で接続した場合に適用して好適な、伝送方法及び伝送システム、並びにこのシステムを構成する受信装置及び送信装置に関し、特に、送信装置と受信装置に伝送されるメインのデータとは別に、付加的なデータを受信装置から送信装置などに伝送する技術に関する。
【背景技術】
【０００２】
従来、例えば比較的近距離でデジタルデータを伝送するための規格としては、例えばＩＥＣ９５８規格で規定されたデジタルオーディオインターフェースがある（非特許文献１参照）。このようなＩＥＣ９５８規格では、伝送される信号は、極端に低域成分や直流成分が少なくなるような変調を行なって伝送するようにしてあり、また、受信側の入力インピーダンスの許容誤差範囲が＋−２５％と比較的大きく設定されている。
【非特許文献１】日本電子機械工業会、ＥＩＡＪ  ＣＰ−１２０１
【発明の開示】
【発明が解決しようとする課題】
【０００３】
上述したＩＥＣ９５８規格などに適合した伝送ケーブルで、送信側の機器と受信側の機器の２台の機器を接続することで、その２台の機器の間でデジタルオーディオデータなどの伝送が可能である。ところが、このような規格では、一方から他方への伝送だけを行なうようにしてあり、双方向でデータ伝送を行なうようにするためには、一方から他方に伝送するためのケーブルと、他方から一方に伝送するためのケーブルの２本のケーブルで接続する必要があり、接続構成が複雑化する問題がある。双方向でデータ伝送を行なうためのデジタルシリアルバス規格（例えばＩＥＥＥ１３９４規格など）も存在するが、このような双方向伝送を行なう規格は、いずれの方向でも比較的高いレートで伝送を行なうためのものであり、インターフェースとして複雑で高価な回路を必要とする。
【０００４】
一方から他方に伝送するオーディオデータなどのメインのデジタルデータについては、比較的高いレートで多くの情報を伝送する必要があっても、逆方向（他方から一方）に伝送するデータについては、例えば、機器を遠隔制御するデータなどの比較的簡単なコードだけを伝送するような場合がある。そのような場合に、上述した双方向のデータ伝送が可能な規格のバスラインで接続するのは、コスト的に得策ではない。上述したＩＥＣ９５８規格で伝送を行なうためのケーブルで、２台の機器を接続した上で、デジタルオーディオデータの伝送方向とは逆方向にデータが伝送できれば、比較的安価に双方向伝送可能なシステムが組めるメリットがあるが、従来そのようなことは不可能であった。
【０００５】
本発明はかかる点に鑑みてなされたものであり、既存のデジタルデータの伝送路を使用して、その伝送路でのデジタルデータの方向とは逆方向に、何らかのデータを伝送できるようにすることを目的とする。
【課題を解決するための手段】
【０００６】
本発明は、第１の機器から第２の機器に、所定の伝送路を介して、所定の方式で第１のデータを伝送するようにした場合に、第２の機器に得られた第２のデータで、所定の方式で伝送される信号成分の少ない周波数帯域の信号よりなる第１のキャリア信号を変調し、その変調された第１のキャリア信号に基づいて、前記所定の方式で許容される入力インピーダンスの変化範囲内で伝送路上の振幅を変化させ、第１の機器で、振幅の変化を検出して、第２のデータを受信するようにしたものである。
【０００７】
またこの場合に、第１の機器に得られた第３のデータで、所定の方式で伝送される信号成分の少ない周波数帯域の信号よりなる第２のキャリア信号を変調し、その変調されたキャリア信号に基づいて第１の機器から送信する信号の振幅を変化させて、第２の機器で、その振幅の変化を検出して、第３のデータを受信するようにしたものである。
【０００８】
このようにしたことで、第１のデータとは別の第２のデータを、伝送路の振幅変化で第１のデータとは逆方向に伝送できるようになる。さらに、第１のデータと同じ伝送方向で、第３のデータを伝送させるようにしたことで、さらに振幅変化で第２のデータと第３のデータとを双方向伝送できるようになる。
【発明の効果】
【０００９】
本発明によると、第１のデータとは別の第２のデータを、伝送路の振幅変化で第１のデータとは逆方向に伝送できるようになり、双方向伝送を行なうための既存の複雑なインターフェースを用意しなくても、例えばデジタルオーディオデータの受信側から送信側に対して、各種制御データなどを簡単に伝送できるようになる。
【００１０】
この場合、さらに第１のデータと同じ伝送方向で、第３のデータを伝送させるようにしたことで、さらに振幅変化で第２のデータと第３のデータとを双方向伝送できるようになり、より高度な双方向のデータ伝送が可能になる。
【発明を実施するための最良の形態】
【００１１】
以下、本発明の第１の実施の形態を、図１〜図５を参照して説明する。
図１は、本実施の形態による伝送の概要を示した原理図である。本例においては、送信装置１と受信装置２との間を、ＩＥＣ９５８規格に準拠したフォーマットの伝送路（ケーブル）で接続して、デジタルオーディオデータを送信装置１から受信装置２に伝送するように構成した上で、その伝送路を使用して、受信装置２から送信装置１にデータを伝送するようにしたものである。
【００１２】
すなわち、送信装置１内に、デジタルオーディオデータを出力する送信部１ａを設け、この送信部１ａに抵抗及びコンデンサを介して接続された出力端子１ｃから伝送路に所定の出力インピーダンスで、ＩＥＣ９５８規格に準拠したフォーマットでデジタルオーディオデータを出力させる。受信装置２内では、伝送路が接続された入力端子２ａが、コンデンサを介して接続された受信部２ｂで、このＩＥＣ９５８規格に準拠したフォーマットでデジタルオーディオデータを入力処理する。
【００１３】
この送信装置１から受信装置２への、ＩＥＣ９５８規格に準拠したフォーマットでデジタルオーディオデータなどの伝送時には、所定の周波数より低い低周波数成分及び直流成分が極力少なくなるデータ変調を行なって伝送するようにしてあり、また、受信部の入力インピーダンスの許容誤差範囲は＋−２５％と大きく設定されている。
【００１４】
そして本例においては、受信装置２側に、可変抵抗器などで構成される振幅制御手段としての可変入力インピーダンス設定部２ｃを設けて、このインピーダンス設定部２ｃでのインピーダンス設定状態を、受信装置２から送信装置１に送信するデータによって可変設定する。送信装置１では、伝送路のインピーダンスを検出する復調回路部１ｂを設けて、その復調回路部１ｂで、受信装置２側のインピーダンス設定部２ｃで設定された伝送路上の振幅を検出して、受信装置２からのデータを受信するようにしたものである。
【００１５】
なお、ここまでの説明でも判るように、本発明では双方向でデータ伝送を行なうものであるが、以下の説明では、メインのデータ（デジタルオーディオデータ）を送信する側の機器を送信装置と称し、メインのデータを受信する側の機器を受信装置と称する。
【００１６】
以下、受信装置と送信装置の具体的な構成例について説明する。図２は本例の受信装置の構成例を示した図である。受信装置の入力端子２ａ（図１参照）に得られる信号は、入力整形部２１で波形整形し、その波形整形された信号をＩＥＣ９５８規格の入力デバイス２２に供給して、この入力デバイス２２で受信処理が行われる。そして、受信装置で送信するための構成として、キャリア発生部２３を設け、このキャリア発生部２３でメインのデータの送信に使用される周波数帯域よりも低域の周波数帯域から選定した周波数のキャリアを発生させる。例えば、ここでは低周波数のキャリアとして、５０ＫＨｚの正弦波のキャリアを発生させる。
【００１７】
キャリア発生部２３で発生したキャリアは、キャリア変調手段であるキャリアオン／オフ部２４に供給して、制御端子２４ａに得られる送信データに基づいてキャリアをオン／オフする変調を行い、変調されたキャリアを送信信号処理部２５に供給する。送信信号処理部２５としては、バンドパスフィルタ，アンプなどで構成される。この送信信号処理部２５で処理されたキャリアを、振幅コントロール部２６に供給し、この受信装置の入力端子２ａの入力インピーダンスを可変設定させる。振幅コントロール部２６としては、例えば可変抵抗器で構成される。ここでのインピーダンスの可変設定範囲としては、例えば、基準となるインピーダンス値（例えば７５Ω）に対して±２０％の範囲（或いは±２５％以下の範囲）で可変させ、ＩＥＣ９５８規格での振幅の許容範囲内に納まるようにする。
【００１８】
図３は、本例の送信装置の構成例を示した図である。送信装置の出力端子１ｃ（図１参照）から外部に送信される信号を得るために、オリジナル信号デバイス１１を備え、このオリジナル信号デバイス１１から出力された送信データを、最終波形整形部１２で波形整形して、出力端子１ｃから出力させる構成としてある。そして、この送信装置で受信するための構成として、バンドパスフィルタ，アンプ，整流，平滑などの受信処理を行なう受信信号処理部１３を設けて、受信装置から送信される信号のキャリア信号成分を検出する。検出されたキャリア信号成分は、バンドパスフィルタ，アンプ，整流，平滑などの受信処理を行なう受信信号処理部１４に送り、例えば、キャリア信号成分が検出された区間をハイレベル“Ｈ”とし、キャリア信号成分が検出されない区間をローレベル“Ｌ”とする２値化処理を行い、その２値信号をデコーダ１５に供給して、デコーダ１５でデータの判定を行なう。
【００１９】
なお、このような構成で受信装置から送信装置にデータ伝送を行なう場合には、例えば信号振幅を変化させるのに、振幅を強制的に小さくすることにより（ダイオードクリップ，逆相信号での打ち消し等）、振幅を変化させてもよい。また、送信装置から受信装置に伝送されるオリジナル信号であるデジタルオーディオデータについては、送信側でエラー訂正符号を付加して、受信側でエラー訂正処理を行なうことが一般的に行なわれているが、受信装置から送信装置に伝送するデータについても、同様のエラー訂正処理を行なうようにしても良い。
【００２０】
次に、このような構成でデータ伝送が行なわれる状態を、図４の波形図を参照して説明する。まず、受信装置側で送信させる付加データＤとして、図４（ａ）に示すようなハイレベル“Ｈ”とローレベル“Ｌ”の間で変化する２値信号Ｄであるとする。この２値信号Ｄを使用して、キャリアを変調して、図４（ｂ）に示すキャリア変調信号Ａを得る。この例では、データＤのハイレベル“Ｈ”の区間でキャリアをオンさせ、データＤのローレベル“Ｌ”の区間でキャリアをオフとしてある。
【００２１】
この図４（ｂ）に示すキャリア変調信号Ａで、インピーダンス調整を行なうことで、図４（ｃ）に示すように、伝送路のインピーダンス値Ｂが基準値から上下するようになる。ここでは、インピーダンス値として７５Ωを基準値として、それよりも高くする場合で約２０％高い９０Ω、低くする場合で約２０％高い６０Ωとする。
【００２２】
図４（ｃ）に示すようにインピーダンスＢを設定することで、伝送路での伝送信号Ｃについては、図４（ｄ）に示す状態となる。この伝送信号は、一部を拡大して示すように、送信装置からのメインのデータの伝送が、比較的高いクロックレートで伝送される。この伝送信号Ｃは、例えばピーク・トウ・ピークの振幅値が０．５Ｖで伝送される信号であり、図４（ｂ）に示すキャリア変調信号Ａのキャリアに対応して、振幅が±約２０％の範囲で変動した信号となっている。
【００２３】
この図４（ｄ）に示すように振幅が変化しても、メインの伝送データについては、規格で決められた範囲内での振幅変動であるので、受信装置側で正しくデータを受信することができる。そして、送信装置側で、その振幅変動を検出することで、付加データＤを受信することができる。図２及び図３の各部に示したＡ，Ｂ，Ｃ，Ｄは、図４に示したデータＤ、キャリアＡ、インピーダンスＢ、伝送信号Ｃが現れる部分を示したものである。
【００２４】
このようにしてメインのデータが伝送される方向とは反対方向に付加データを伝送することができることで、１つの伝送路を使用して双方向でデータ伝送が可能になる。この場合、付加データの伝送については、伝送できるデータ量がメインのデータに比べて制限されることになるが、双方向伝送が可能なバスラインなどで接続する場合に比べて、簡単な構成で送信側と受信側を構成することができ、簡単に双方向伝送が可能なシステムが構築できる。
【００２５】
図５は、本例の伝送処理を適用したシステム構成例を示した図である。この例では、オーディオ再生システムとしてあり、アンプ装置１０１を有する。このアンプ装置１０１は、リモートコントロール装置１０２からの赤外線信号によるリモートコントロール信号で遠隔制御が可能である。アンプ装置１０１には、オーディオ信号源として、ＣＤ（コンパクトディスク）プレーヤ１０３とＤＶＤプレーヤ１０４とを、ケーブル１１１及び１１２で接続してある。ケーブル１１１及び１１２は、デジタルオーディオデータをアンプ装置１０１側に伝送する規格のケーブルである。そして、アンプ装置１０１には、例えば２台のスピーカ１０５，１０６が接続してあり、オーディオ信号源１０３又は１０４から供給されるオーディオデータを処理して、スピーカ１０５，１０６から放音させることができる。
【００２６】
ここで、リモートコントロール装置１０２では、アンプ装置１０１の動作を制御するコードだけでなく、ＣＤプレーヤ１０３の再生操作を行なうコードや、ＤＶＤプレーヤ１０４での操作を行なうコードなども送信できるようにする。これらのコードについては、全てアンプ装置１０１のリモートコントロール信号受信部で受信するようにし、アンプ装置１０１内の制御部が、ＣＤプレーヤの再生操作用コードやチューナの選局操作用コードの受信を検出した場合に、これらのコードを、上述した振幅による付加データ伝送処理で、アンプ装置１０１から、ケーブル１１１又は１１２を介してＣＤプレーヤ１０３又はＤＶＤプレーヤ１０４に伝送する。
【００２７】
このように構成したことで、アンプ装置１０１とオーディオ信号源１０３，１０４との間では、オーディオ信号源１０３，１０４側からアンプ装置１０１側にオーディオデータを伝送するように、既存の規格のケーブルで接続するだけで、そのケーブルを使って制御コードなどを逆方向に伝送できるようになる。したがって、制御コードをアンプ装置側から伝送するために別のケーブルなどで接続する必要がなくなり、この種のオーディオ再生システムの接続構成が非常に簡単になる。
【００２８】
次に、本発明の第２の実施の形態を、図６及び図７を参照して説明する。本実施の形態では、送信装置から受信装置にメインのデータ（デジタルオーディオデータなど）を伝送し、第１の実施の形態で説明したように、付加データを伝送路の振幅変調で受信装置から送信装置に伝送するようにした場合に、さらに、別の付加データを伝送路の振幅変調で送信装置から受信装置に伝送するようにしたものである。図６及び図７において、第１の実施の形態で説明した図２及び図３に対応する部分には同一符号を付し、その詳細説明は省略する。
【００２９】
図６は、本例の受信装置の構成例を示した図である。受信装置の入力端子２ａ（図１参照）に得られる信号は、入力整形部２１で波形整形し、その波形整形された信号をＩＥＣ９５８規格の入力デバイス２２に供給して、この入力デバイス２２で受信処理が行われる。そして、受信装置で送信するための構成として、キャリア発生部２３と、キャリアオン／オフ部２４と、送信信号処理部２５と、振幅コントロール部２６とを備えて、キャリアオン／オフ部２４で制御端子２４ａに得られる送信データに基づいてキャリアをオン／オフする変調を行って、受信装置の入力端子２ａの入力インピーダンスを可変設定させる。
【００３０】
ここまでは、第１の実施の形態で説明した受信装置の構成と同じであるが、さらに本例においては、入力端子２ａに得られる信号の振幅を検出するために、バンドパスフィルタ，アンプ，整流，平滑などの受信処理を行なう受信信号処理部２７を設けて、送信装置から送信される信号のキャリア信号成分を検出する。検出されたキャリア信号成分は、バンドパスフィルタ，アンプ，整流，平滑などの受信処理を行なう受信信号処理部２８に送り、例えば、キャリア信号成分が検出された区間をハイレベル“Ｈ”とし、キャリア信号成分が検出されない区間をローレベル“Ｌ”とする２値化処理を行い、その２値信号をデコーダ２９に供給して、デコーダ２９で送信装置から送信された付加データの判定を行なう。
【００３１】
図７は、本例の送信装置の構成例を示した図である。送信装置の出力端子１ｃ（図１参照）から外部に送信される信号を得るために、オリジナル信号デバイス１１を備え、このオリジナル信号デバイス１１から出力された送信データを、最終波形整形部１２で波形整形して、出力端子１ｃから出力させる構成としてある。そして、この送信装置で付加データを受信するための構成として、バンドパスフィルタ，アンプ，整流，平滑などの受信処理を行なってキャリア信号成分を検出する受信信号処理部１３と、そのキャリア信号成分の有無により２値化処理を行なう受信信号処理部１４に送り、検出された２値信号をデコーダ１５に供給して、付加データの判定を行なう。
【００３２】
ここまでは、第１の実施の形態で説明した受信装置の構成と同じであるが、さらに本例においては、送信装置から付加データを送信するために、キャリア発生部１６と、キャリアオン／オフ部１７と、送信信号処理部１８と、振幅コントロール部１９とを備えて、キャリアオン／オフ部１８で制御端子に得られる送信データに基づいてキャリアをオン／オフする変調を行って、送信装置の出力端子１ｃから送信される信号の振幅を可変設定させる。
【００３３】
この第２の実施の形態で付加した回路により、送信装置から受信装置に付加データが伝送される処理については、第１の実施の形態で説明した、受信装置から送信装置に付加データが伝送される処理と全く同じである。
【００３４】
ここで、送信装置側のキャリア発生部１６で発生させるキャリアの周波数は、受信装置側のキャリア発生部２３で発生させるキャリアの周波数（例えば５０ＫＨｚ）とほとんど干渉しない別の周波数（例えば１５ＫＨｚなど）に設定することで、受信装置からの付加データの送信と、送信装置からの付加データの送信とを、同時に行なうことが可能になる。或いは、同じキャリア周波数を使用して、送信装置からの付加データ送信と、受信装置からの付加データ送信とを、時分割で交互に行なうようにしても良い。
【００３５】
このように構成することで、送信装置側からも付加データを送信できることになり、簡単な構成でより高度な伝送システムが構築できることになる。
【００３６】
なお、ここまで説明した各実施の形態では、ＩＥＣ９５８規格でデジタルオーディオデータを伝送するシステムに適用したが、その他の規格でデジタルオーディオデータ、或いはオーディオ以外のデジタルデータを伝送する伝送路を利用して、その伝送規格で決められた振幅変動範囲内で振幅を変化させて、逆方向（或いは双方向）に付加データを伝送するようにしてもよい。例えば、ＵＳＢ(Universal Serial Bus)や、ＵＡＲＴ(Universal Asynchronous Receiver Transmitter)等の規格で伝送する場合にも適用可能である。なお、適用した規格によっては、非クロック同期方式のために、ある時間内にＨｉ＆ＬＯＷの変化がある等のために、メインの伝送信号に、基本周波数のかなり下の周波数まで信号成分が存在する場合があり、そのような場合には、低周波、ＤＣ成分を極力少なくなるように、元の送信データのＨｉ＆ＬＯＷの並びを最適化するのが好ましい。
【００３７】
また、上述した例では、デジタルオーディオデータを伝送するシステムに適用した例としたが、その他の各種データを伝送する場合にも適用可能であることは勿論である。
【図面の簡単な説明】
【００３８】
【図１】本発明の第１の実施の形態による送受信の概要を示した原理図である。
【図２】本発明の第１の実施の形態による受信部の構成例を示したブロック図である。
【図３】本発明の第１の実施の形態による送信部の構成例を示したブロック図である。
【図４】本発明の第１の実施の形態による伝送状態の例を示した波形図である。
【図５】本発明の第１の実施の形態による機器の接続例を示したシステム構成図である。
【図６】本発明の第２の実施の形態による受信部の構成例を示したブロック図である。
【図７】本発明の第３の実施の形態による受信部の構成例を示したブロック図である。
【符号の説明】
【００３９】
１…送信装置、１ａ…送信部、１ｂ…復調回路部、１ｃ…出力端子、２…受信装置、２ａ…入力端子、２ｂ…受信部、２ｃ…可変入力インピーダンス設定部、１１…オリジナル信号出力デバイス、１２…最終波形整形部、１３，１４…受信信号処理部、１５…デコーダ、１６…キャリア発生部、１７…キャリアオン／オフ部、１８…送信信号処理部、１９…振幅コントロール部、２１…入力整形部、２２…ＩＥＣ９５８規格の入力デバイス、２３…キャリア発生部、２４…キャリアオン／オフ部、２５…送信信号処理部、２６…振幅コントロール部、２７，２９…受信信号処理部、２９…デコーダ、１０１…アンプ装置、１０２…リモートコントロール装置、１０３…ＣＤプレーヤ、１０４…ＤＶＤプレーヤ、１０５，１０６…スピーカ
【図１】
2005252992.tif 000003
【図２】
2005252992.tif 000004
【図３】
2005252992.tif 000005
【図４】
2005252992.tif 000006
【図５】
2005252992.tif 000007
【図６】
2005252992.tif 000008
【図７】
2005252992.tif 000009